(57)【要約】【課題】  コンピュータ通信網で提供されるウエブページに記載されている画像情報を利用して、利用者の操作の負担を軽減させて経路案内などを行う。【解決手段】  ブラウザ部５は、インターネット網１０で提供されるホームページを、ナビゲーション用の地図画像を表示する表示部２に表示して閲覧可能にする。住所・電話番号・マップコード抽出部７が表示中のウエブページの画像を記載する文字情報中から、画像情報を表示するための文字情報を抽出すると、位置情報抽出部９が場所を表す文字情報を特定し、特定される文字情報に対応する位置情報を検索する。ナビゲーション制御部４は、検索される位置情報に基づいて、ナビゲーションの制御を行うので、コンピュータ通信網で提供されるウエブページを利用して、利用者の操作の負担を軽減させて経路案内などを行うことができる。【選択図】      図１
2007139726.tif 000002
【特許請求の範囲】
【請求項１】
経路案内を行うナビゲーション装置において、
コンピュータ通信網で提供されるウエブページを、表示手段に表示して閲覧可能にする閲覧手段と、
表示手段に表示中のウエブページを構成する文字情報中から、画像情報を表示するための文字情報を抽出する抽出手段と、
抽出手段によって抽出される画像情報を表示するための文字情報に基づいて、場所を表す文字情報を特定し、特定される文字情報に対応する位置情報を検索する検索手段と、
検索される位置情報に基づいて、ナビゲーションの制御を行う制御手段とを含むことを特徴とするナビゲーション装置。
【請求項２】
前記場所を特定するための文字情報は、場所を特定するコード化された画像の種別を示す予め定めるパターンに従う文字列であり、
前記抽出手段は、該画像を解析して文字情報を抽出することを特徴とする請求項１記載のナビゲーション装置。
【請求項３】
前記文字情報と前記位置情報との対応関係に基づいて、予め構築されるデータベースを記憶する記憶手段をさらに含み、
前記検索手段は、記憶手段のデータベースを参照して、位置情報の検索を行うことを特徴とする請求項１または２記載のナビゲーション装置。
【請求項４】
前記制御手段は、前記画像情報を表示するための文字情報に従って表示される画像が地図情報であるときに、該地図情報を前記検索手段によって検索される位置情報に対応する場所を含むナビゲーション用の地図画像に置き換えるように制御することを特徴とする請求項１〜３のいずれか１つに記載のナビゲーション装置。
【発明の詳細な説明】
【技術分野】
【０００１】
本発明は、インターネットなどのコンピュータ通信網で提供されるウエブページを閲覧可能で、ウエブページに含まれる情報を利用して経路案内を行うことが可能なナビゲーション装置に関する。
【背景技術】
【０００２】
従来から、車両などの移動体が目的地まで移動する経路を探索し、道路地図を表示して案内するナビゲーション装置が利用されている。ナビゲーション装置での経路案内では、出発地から目的地までの経路を探索し、現在位置と経路との関係を道路地図上で表示する。現在位置は、たとえばＧＰＳ（Global Positioning System）などを利用して自動的に検知することができる。経路探索の際に、現在位置を出発地とすることはできる。しかしながら、目的地は入力する必要がある。さらに、目的地へ到達する前に経由すべき場所があれば、経由地を含めて入力する必要がある。
【０００３】
今日では、ユーザによる目的地などの選定は、インターネットを経由して閲覧するホームページなどのウエブページを見て行われることが多くなっている（たとえば、特許文献１参照。）。ホームページは、インターネットに関して開設されている各種検索エンジンなどを利用して検索し、パーソナルコンピュータや携帯電話で閲覧することができる。閲覧したホームページの中に、目的地などとすべき位置情報があれば、利用者が改めてナビゲーション装置に入力し、経路探索を行うことになる。広告媒体に位置情報が一次元や二次元のバーコードなどで表示されているときに、光学的に読み取って入力することができるナビゲーション方法も開示されている（たとえば、特許文献２参照。）。また、放送ビデオ信号中にバーコードなどの認識可能データが含まれているときに、ビデオフレームからデータを読み取る方法なども開示されている（たとえば、特許文献３参照。）。
【０００４】
インターネットへアクセスしてホームページなどを閲覧する機能と、ホームページを表示するためのＨＴＭＬ（Hyper Text Markup Language）ファイルから、場所を特定するための文字情報を抽出し、文字情報に対応する位置情報をインターネット上のサーバで検索して、検索された位置情報に基づいてナビゲーションの制御を行う機能とを備えるナビゲーション装置も開示されている（たとえば、特許文献２参照。）。特許文献２では、発明が解決しようとする課題の欄で、ＨＴＭＬファイルに専用のタグを用意し、そのタグで挟んで緯度経度などの位置情報を表し、この位置情報を経路案内に利用することの可能性を示唆している。しかしながら、新たなタグを定義することは汎用性がなく、特許文献１で開示する発明では、ＨＴＭＬファイルを構成する文字情報から、住所や電話番号等、場所を特定するための文字情報を抽出し、抽出された文字情報から検索される位置情報を用いてナビゲーションの制御が行われる。位置情報の検索は、抽出した文字情報を検索用のサーバに渡し、サーバが文字情報に基づいて検索した位置情報を取得して行われる。
【０００５】
【特許文献１】特開２０００−３１４６３３号公報
【特許文献２】特開２０００−４８５８６号公報
【特許文献３】特許第２５７５５８２号公報
【特許文献４】特開２０００−３３７９１１号公報
【発明の開示】
【発明が解決しようとする課題】
【０００６】
従来のナビゲーション装置では、目的地等を設定するために、利用者が前もって位置情報を知っている必要がある。位置情報としては、住所が代表的なものである。ただし、住所から目的地検索等を行う場合、県名、市名、町名、番地など、一文字ずつ入力する操作が必要となり、煩わしい。位置情報は、電話番号などで入力することができるものもある。住所に比較すれば電話番号の方が入力しやすいことが多いけれども、目的地について前もって調べておく必要がある。ナビゲーションの機能として、任意の地域の地図を表示して、地図中に含まれる文字情報などを、画像への操作で入力する機能を有するものもあるけれども、ナビゲーションの機能で表示する地図では、目的地についての詳細なデータは表示されない。たとえば、駐車場料金や開店時間などの目的地のデータは、ナビゲーション装置が備える地図中には含まれていない。
【０００７】
今日では、インターネット上で公開されるホームページに、種々の観光施設などが詳細なデータを提供している。提供するデータには、特許文献４に記載されているように、ナビゲーション装置に入力しうる形式の文字情報が含まれていれば、ホームページを閲覧するだけで、目的地の設定等が可能になる。しかしながら、特許文献４では、ホームページを表すＨＴＭＬファイルの全体から文字情報を抽出し、検索サーバを利用して位置情報を取得するようにしている。ＨＴＭＬファイルは、文字を表すテキストデータで形成され、表示に関する情報がタグとして、表示される文字情報自体とは区別して表記されている。抽出される文字情報は、電話番号などのように特定のパターンを有する場合を除き、位置情報に対応しているか否かは不明である。したがって、文字情報を抽出しても、検索サーバにアクセスして位置情報との対応を確認しないと、ナビゲーションの経路案内に利用可能な文字情報か否かが不明となる。文字情報は、前後の文脈などを含めれば地名ではないことが明らかな場合でも、単独で抽出すると地名と判断されることがあるので、一般には多くの文字情報が抽出され、位置情報に対応付けられてしまう。
【０００８】
また、ホームページには、利用者の便宜を図るために概略的な地図が表示される場合が多い。しかしながら、ホームページ掲載の地図では、概略的な表示のため、位置関係がつかみにくく、実際の道路や建物との位置関係が判りにくい。詳細な地図を表示すると、データ量が多くなり、ホームページを構成する地図画像ファイルをダウンロードするパケット通信費用が負担になる。
【０００９】
本発明の目的は、コンピュータ通信網で提供されるウエブページを利用して、利用者の操作の負担を軽減させて経路案内などを行うことができるナビゲーション装置を提供することである。
【課題を解決するための手段】
【００１０】
本発明は、経路案内を行うナビゲーション装置において、
コンピュータ通信網で提供されるウエブページを、表示手段に表示して閲覧可能にする閲覧手段と、
表示手段に表示中のウエブページを構成する文字情報中から、画像情報を表示するための文字情報を抽出する抽出手段と、
抽出手段によって抽出される画像情報を表示するための文字情報に基づいて、場所を表す文字情報を特定し、特定される文字情報に対応する位置情報を検索する検索手段と、
検索される位置情報に基づいて、ナビゲーションの制御を行う制御手段とを含むことを特徴とするナビゲーション装置である。
【００１１】
本発明に従えば、経路案内を行うナビゲーション装置は、閲覧手段と、抽出手段と、検索手段と、制御手段とを含む。閲覧手段は、たとえばインターネットなどのコンピュータ通信網で提供されるホームページなどのウエブページを、表示手段に表示して閲覧可能にする。画像を記載する文字情報は、「施設名．拡張子」のパターンであることが多い。「拡張子」は、たとえば「gif」など、画像のデータ形成に関連している。したがって、「施設名」の文字情報は容易に抽出可能である。抽出手段が表示中のウエブページの画像を記載する文字情報中から、画像情報を表示するための文字情報を抽出すると、検索手段が場所を表す文字情報を特定し、特定される文字情報に対応する位置情報を検索する。制御手段は、検索される位置情報に基づいて、ナビゲーションの制御を行うので、コンピュータ通信網で提供されるウエブページを利用して、利用者の操作の負担を軽減させて経路案内などを行うことができる。
【００１２】
また本発明で、前記場所を特定するための文字情報は、場所を特定するコード化された画像の種別を示す予め定めるパターンに従う文字列であり、
前記抽出手段は、該画像を解析して文字情報を抽出することを特徴とする。
【００１３】
本発明に従えば、地図画像中に一次元や二次元のバーコードなどの画像の種別を示すパターンに従って場所を特定するための文字情報を表示するようにしておけば、地図画像中に表示されている画像を解析して文字情報を抽出し経路探索用に利用することができる。
【００１４】
また本発明で、前記文字情報と前記位置情報との対応関係に基づいて、予め構築されるデータベースを記憶する記憶手段をさらに含み、
前記検索手段は、記憶手段のデータベースを参照して、位置情報の検索を行うことを特徴とする。
【００１５】
本発明に従えば、文字情報と位置情報とを対応付けるデータベースは記憶手段に予め構築されているので、文字情報に基づく位置情報の検索を装置内部で迅速に行うことができる。
【００１６】
また本発明で、前記制御手段は、前記画像情報を表示するための文字情報に従って表示される画像が地図情報であるときに、該地図情報を前記検索手段によって検索される位置情報に対応する場所を含むナビゲーション用の地図画像に置き換えるように制御することを特徴とする。
【００１７】
本発明に従えば、ウエブページに表示される概略的な地図画像を、画像情報を表示するための文字情報に従って表示されるナビゲーション用の地図画像に置き換えるので、ウエブページ上に詳細な地図が表示される場合と同様の詳細な表示を行うことができる。
【発明の効果】
【００１８】
本発明によれば、閲覧中のウエブページを記載する文字情報中から、画像情報を表示するための文字情報を抽出すると、場所を表す文字情報が特定され、文字情報に対応する位置情報が検索される。画像情報を表示するための文字列には、「施設名．拡張子」などのパターンで、施設名が含まれていることが多いので、文字情報の抽出を容易に行うことができる。検索される位置情報に基づいて、ナビゲーションの制御が行われるので、コンピュータ通信網で提供されるウエブページに概略的に記載されている地図画像などを利用して、地名を示す文字情報を、抽出手段が場所を特定するための文字情報として抽出するので、地図画像中に地名に対応する文字情報を表示するようなウエブページであれば、地図画像中に表示されている地名を経路探索用に利用することができる。
【００１９】
また本発明によれば、地図画像中に一次元や二次元のバーコードなどの画像の種別を示すパターンに従い場所を特定するための文字情報を抽出するようにしておけば、画像を解析して得られる位置情報を経路探索用に利用することができる。
【００２０】
また本発明によれば、文字情報と位置情報とを対応付けるデータベースが予め構築されているので、文字情報に基づく位置情報の検索を装置内部で迅速に行うことができる。
【００２１】
また本発明によれば、ウエブページに表示される概略的な地図画像をナビゲーション用の地図画像に置き換えるので、ウエブページ上に詳細な地図が表示される場合と同様の詳細な表示を行うことができる。
【発明を実施するための最良の形態】
【００２２】
図１は、本発明の実施の一形態としてのナビゲーション装置１の概略的な構成を示す。ナビゲーション装置１は、液晶表示装置（ＬＣＤ）などの表示部２を備え、地図蓄積部３に蓄積されている道路地図などを表示しながら経路案内を行う。経路案内を行う経路は、利用者から目的地などの位置情報が入力されて探索される。経路案内の表示や経路探索は、ナビゲーション制御部４による制御で行われる。表示部２の表示面は、タッチパネルとしての入力機能も備えている。
【００２３】
ナビゲーション装置１には、ブラウザ部５、接続部６、住所・電話番号・マップコード抽出部７、ＱＲコード抽出部８、および位置情報抽出部９が含まれる。マップコード（登録商標）は株式会社デンソーによって開発された住所コードの一種である。マップコードは、日本全国を大まかにメッシュ分割したゾーンから、 さらにそれを細かく分割したブロック、ユニットによって構成され、このゾーン、ブロック、ユニット、それぞれの番号を順に並べた数字によって表される。ＱＲ（Quick Response）コードは、株式会社デンソーウエーブによって開発された二次元バーコードである。ブラウザ部５は、接続部６を介して接続されるインターネット網１０に、各種サーバ１１，１２，１３，…から提供されるホームページを表すＨＴＭＬファイルを取得し、表示部２に表示して閲覧することができる。
【００２４】
ナビゲーション制御部４、ブラウザ部５、住所・電話番号・マップコード抽出部７およびＱＲコード抽出部８は、たとえば１または複数のＣＰＵを有し、予め設定されるプログラムに従って動作する結果として実現される。地図蓄積部３には、ＣＤ−ＲＯＭやＤＶＤ−ＲＯＭなどの大容量記憶媒体や、ハードディスク装置（ＨＤＤ）などの大容量記憶装置を備え、道路地図データが蓄積されている。位置情報抽出部９は、文字情報と位置情報との対応関係について予め構築されるデータベースを記憶する記憶手段を備えている。後述するように、画像情報を表示するための文字情報には、施設名などがローマ字表記される可能性が多い。データベースとしては、ローマ字表記の施設データを持つようにしておく。
【００２５】
図２は、表示部２で閲覧するホームページ画像２０の例を示す。ホームページ画像２０は、たとえばメイン画像２１、説明文２２およびＱＲコード画像２３などから構成される。ホームページ２０の構成は種々考えられ、図２では簡略化して示す。メイン画像２１は、実際にはより大きく、かつ多彩な画像であるけれども、縮小し、かつ簡略化して示す。説明文２２も簡略化して示す。ＱＲコードは二次元バーコードとしては普及しており、カメラ付き携帯電話機などで読み取ることができるので、ホームページにもＱＲコード画像２３を掲載することが多くなってきている。
【００２６】
図３は、ＱＲコード画像２３を解析して対応する位置情報を得た場合に表示する画像２５の例を示す。ＱＲコード画像２３に対応する位置情報で示される場所を、経路探索の目的地に設定することを指示する目的地に設定ボタン２６がＱＲコード画像２３に替えて表示される。目的地に設定ボタン２６にタッチすれば、ＱＲコードから解析された場所を目的地として経路探索が開始される。
【００２７】
図４は、図２のホームページ画像２０のソースコードであるＨＴＭＬファイル３０の主要部分を概略的に示す。ＨＴＭＬファイル３０は、すべて文字情報で記述されるテキストファイルであり、表示のための制御情報などがタグとして区別される。ＨＴＬＭファイルは、ファイル名に付加する拡張子をたとえば「ｈｔｍｌ」や「ｈｍｌ」などとして、ブラウザ部５での識別を容易にしている。一般に、ＨＴＭＬファイル３０の冒頭では、使用しているＨＴＭＬのバージョンなどが宣言される。次に、ＨＴＭＬファイルであることが宣言される。ＨＴＭＬファイル３０の場合、「<html>」から最後の「</html>」までがＨＴＭＬファイルの実体として宣言される。このＨＴＭＬファイル中に、ｈｅａｄとｂｏｄｙとが存在する。ｂｏｄｙには、図２のメイン画像２１、説明文２２およびＱＲコード画像２３にそれぞれ相当するメイン画像用ファイル指定データ３１、説明文記述データ３２、およびＱＲコード用ファイル指定データ３３が含まれる。説明文記述データ３２は、記述される説明文の文字列と、説明文を配置する位置や属性などのデータとを含む。実際には説明文２２の一行毎に説明文記述データ３２が対応しているけれども、簡略化のために１行分のみ示す。メイン画像用ファイル指定データ３１およびＱＲコード用ファイル指定データ３３は、他のＨＴＭＬファイルまたは画像ファイルを指定する。ＱＲコード画像２３は、たとえば「gif」形式の画像ファイルで記述される。ＱＲコード画像２３に替えて、またはＱＲコード画像２３とともに、地図画像などがホームページ画像２０中に表示されることもある。図４のメイン画像用ファイル指定データ３１の例では、図２のメイン画像２１は、「名所Ａ．gif」の名称の画像データに対応している。ここで「名所Ａ」は、一般的にはローマ字表記である。
【００２８】
このような地図画像中には、住所を表す文字情報や電話番号、マップコードなどが文字列として表示される。文字と画像とを含む画像は、ＨＴＭＬ形式の画像としてまとめて記述される。したがって、画像中に地名などの場所を特定する文字情報が含まれていれば、画像を表示するためのＨＴＭＬファイルから場所を特定する文字情報を抽出することによって、ＨＴＭＬファイル３０の全体から場所を特定する文字情報を抽出するよりも、抽出する範囲を絞り、効率の高い抽出を行うことができる。
【００２９】
図５は、図２のようなＱＲコード画像２３を含まないホームページ画像４０の例を示す。ホームページ画像４０では、目的地周辺地図４１が含まれている。目的地周辺地図４１中には、名所Ａの住所などを示す住所文字列４２が含まれているものとする。このような目的地周辺地図４１は、ホームページ画像４０全体を示すＨＴＭＬファイル中に、他のＨＴＭＬファイルにリンクする形式で、たとえば、「<a href="ファイル名.html"〜</a>」のように記載されている。ただし、「ファイル名」は具体的なＨＴＭＬファイルのファイル名である。そのＨＴＭＬファイルを参照すれば、住所文字列４２を抽出することができる。住所文字列４２を抽出する範囲が限られるので、ホームページ画像全体を示すＨＴＭＬファイル中から抽出するよりも、容易に抽出することができる。
【００３０】
図６は、図５のホームページ画像４０に対応して得られる画像４５を示す。画像４５では、ホームページ画像４０中の名所Ａ周辺地図４１を、住所文字列４２に基づいて算出される緯度・経度に従って表示するナビゲーション用の道路地図４６で置き換えている。道路地図４６は、図１の地図蓄積部３に蓄積されている地図中から選択する。ナビゲーション制御部４は、利用者の操作を受けて、地図のスクロールや拡大、縮小などの表示の変更を加えることもできる。名所Ａ表示４１にタッチすると、たとえば現在位置から名所Ａまでの経路探索を開始させるようにすることもできる。また、経路探索の開始と、元のホームページの表示とを、選択的に実行するようにすることもできる。
【００３１】
図２や図５のようなホームページ画像２０，４０とナビゲーション用の道路地図４６とは、一方を他方の中でのウインドウ表示として行わせることもできる。
【００３２】
以上のように、ナビゲーション装置１は、表示手段である表示部２と、閲覧手段であるブラウザ部５と、抽出手段である住所・電話番号・マップコード抽出部７およびＱＲコード抽出部８と、検索手段である位置情報抽出部９と、制御手段であるナビゲーション制御部４とを含む。ブラウザ部５は、たとえばインターネット網１０などのコンピュータ通信網で提供されるホームページなどのウエブページを、ナビゲーション用の地図画像を表示する表示部２に表示して閲覧可能にする。住所・電話番号・マップコード抽出部７が表示中のウエブページの画像を記載する文字情報中から、画像情報を表示するための文字情報を抽出すると、位置情報抽出部９が場所を表す文字情報を特定し、特定される文字情報に対応する位置情報を検索する。ナビゲーション制御部４は、検索される位置情報に基づいて、ナビゲーションの制御を行うので、コンピュータ通信網で提供されるウエブページを利用して、利用者の操作の負担を軽減させて経路案内などを行うことができる。
【００３３】
図７は、「名所Ａのページ」である図２や図５に示すホームページ画像２０，４０を閲覧中、「名所Ａ」を目的地に設定して経路案内する際に、図１のナビゲーション制御部４が行う制御手順を概略的に示す。ステップｓ１では、利用者の操作に従い、ナビゲーション装置１のブラウザ部５にて「名所Ａのページ」を閲覧するために、ホームページのソースを取得する。名所Ａの選択は、検索エンジンを利用して行ったり、直接ＵＲＬ（
Uniform Resource Locator）を入力して指定することで行うことができる。ステップｓ２およびステップｓ３では、「名所Ａのページ」を記述するウエブページのソースコード（ＨＴＭＬ）をたとえば記載順に読み込んで解析し、（ａ）住所、（ｂ）電話番号、（ｃ）マップコード、（ｄ）（緯度・経度情報で構成された）ＱＲコードなどの位置情報を抽出する。まずステップｓ２で、住所、電話番号、マップコードはあるか否かを判断する。ないと判断するときは、ステップｓ３でＱＲコードはあるか否か判断する。図２のホームページ画像２０からはＱＲコード画像２３が抽出される。ただし、抽出されるＱＲコード画像２３は、必ずしも緯度・経度情報に対応しているとは限らない。解析して得られる緯度・経度データが地図蓄積部３に蓄積されている地図の範囲外などとなる場合は、緯度・経度情報ではないと判断する。ＱＲコード画像２３が緯度・経度情報を表していない場合でも、住所やマップコードなどの位置情報を表す場合がある。ステップｓ４では、ＱＲコード画像を、図１のＱＲコード抽出部８によって、図４のＱＲコード用ファイル指定データ３３に基づき抽出する。ステップｓ５では、ＱＲコード画像を解析し、場所を特定するための文字情報を抽出する。ＱＲコードが緯度・経度情報であれば、その緯度・経度情報がそのまま抽出される。
【００３４】
ステップｓ２で住所、電話番号、マップコードがあると判断するときは、ステップｓ６に進み、図１の住所・電話番号・マップコード抽出部７で対応する文字列を抽出する。ステップｓ６で文字列を抽出するか、ステップｓ５で場所を特定するための文字情報を抽出すると、ステップｓ７で図１の位置情報抽出部９のデータベースを検索する。文字列や文字情報に対応する位置情報が検索されると、ステップｓ８で緯度・経度が算出される。次のステップｓ９では、ステップｓ８で算出された緯度・経度に基づき、経路探索用に入力するための緯度・経度データが算出される。ＱＲコード画像２３が緯度・経度情報を表示している場合は、表示している緯度・経度情報に基づいて緯度・経度データが算出される。ステップｓ１０では、ソースコードを最後まで読み込んでいるか否かを判断する。途中であれば、ステップｓ２に戻る。なお、ステップｓ３でＱＲコードがないと判断するときは、ステップｓ１０に移行する。
【００３５】
ステップｓ１０で、ソースコードを最後まで読み込んだと判断するときは、ステップｓ２０、ステップｓ４０、ステップａ６０またはステップｓ８０のいずれかに移行する。ステップｓ２０では、ホームページの地図画像をナビゲーションの地図画像と置き換える。ステップｓ４０では、ナビゲーションの地図とブラウザによるホームページ画像とを同時に表示する。ステップｓ６０では、たとえば「目的地に設定」ボタンをナビゲーション側で表示し、このボタンが操作されれば、目的地の設定が開始される。ステップｓ８０では、ブラウザが表示するホームページ画像２０に表示されるＱＲコード画像２３をたとえば目的地に設定ボタン２６に置き換え、図３に示す画像２５として表示する。これらのステップｓ２０、ステップｓ４０、ステップｓ６０またはステップｓ８０の選択は、予め設定しておくことができる。また、ステップｓ１０の後で、選択操作を受けるようにすることもできる。
【００３６】
なお、ステップｓ２０へは、ホームページ画像に地図画像が含まれている場合に移行可能である。ステップｓ８０には、ホームページ画像２０のように、ＱＲコード画像２３が含まれている場合に移行可能である。
【００３７】
図８は、図７のステップｓ２０に続く動作を示す。ステップｓ２１では、ホームページに地図画像はあるか否かを判断する。図５に示すようなホームページ画像４０であれば、名所Ａ周辺地図４１として地図画像が含まれているので、ステップｓ２２に移る。含まれていないときには、ステップｓ４０やステップｓ６０に移行する。ステップｓ２２では、算出した緯度・経度データは複数か否かを判断する。すなわち、場所を特定するための文字情報は複数か否かを判断する。候補の順番は、たとえばＨＴＭＬファイルから抽出される順番である。複数であるときには、ステップｓ２３に移り、「次候補を表示」メニューを表示部２の一部に表示する。次にステップｓ２４で、ホームページ画像の表示時に、地図画像表示用の表示部２に、算出された緯度・経度データの地点を中心として、ナビゲーション用の地図を、地図蓄積部３から読み出して表示する。次にステップｓ２５で、ユーザの望む地図が表示できているか否かを判断する。たとえば、一定時間経過するまでに、「次候補を表示」メニューへの操作が行われなければ、利用者であるユーザの望む地図が表示できていると判断される。一定時間内に、「次候補を表示」メニューに対する操作が行われているときは、ステップｓ２６で、ホームページ地図画像の表示部２に、次候補緯度・経度データの地点を中心としたナビゲーション地図を表示して、ステップｓ２５に戻る。
【００３８】
ステップｓ２２で、算出した緯度・経度データが複数ではないときは、ステップｓ２７で、ホームページ表示時に、表示部２に緯度・経度データの地点を中心としたナビゲーション地図を表示する。ステップｓ２５でユーザの望む地図が表示できていると判断するとき、またはステップｓ２７に続いて、ステップｓ２８では、地図へのタッチで目的地設定を行う。次に、ステップｓ２９では経路探索計算を行い、ステップｓ３０で経路案内を行う。
【００３９】
図９は、図７のステップｓ４０、または図８のステップｓ２１でホームページに地図画像がないと判断するときに続く動作を示す。ステップｓ４１では、算出した緯度・経度データは複数か否かを判断する。すなわち、場所を特定するための文字情報は複数か否かを判断する。候補の順番は、たとえばＨＴＭＬファイルから抽出される順番である。複数であるときには、ステップｓ４２に移り、「次候補を表示」メニューを表示部２の一部に表示する。次にステップｓ４３で、ホームページ画像と、算出された緯度・経度データの地点を中心として、ナビゲーション用の地図を、地図蓄積部３から読み出して、ホームページ画像と同時に表示する。次にステップｓ４４で、ユーザの望む地図が表示できているか否かを判断する。たとえば、一定時間経過するまでに、「次候補を表示」メニューへの操作が行われなければ、利用者であるユーザの望む地図が表示できていると判断される。一定時間内に、「次候補を表示」メニューに対する操作が行われているときは、ステップｓ４５で、ホームページ地図画像の表示部２に、次候補緯度・経度データの地点を中心としたナビゲーション地図を表示して、ステップｓ４４に戻る。
【００４０】
ステップｓ４１で、算出した緯度・経度データが複数ではないときは、ステップｓ４６で、表示部２に緯度・経度データの地点を中心としたナビゲーション地図を、ホームページ画像と同時に表示する。ステップｓ４４でユーザの望む地図が表示できていると判断するとき、またはステップｓ４６に続いて、ステップｓ４７では、地図へのタッチで目的地設定を行う。次に、ステップｓ４８では経路探索計算を行い、ステップｓ４９で経路案内を行う。
【００４１】
図１０は、図７のステップｓ６０、または図８のステップｓ２１でホームページに地図画像がないと判断するときに続く動作を示す。ステップｓ６１では、算出した緯度・経度データは複数か否かを判断する。すなわち、場所を特定するための文字情報は複数か否かを判断する。候補の順番は、たとえばＨＴＭＬファイルから抽出される順番である。複数であるときには、ステップｓ６２に移り、「次候補を表示」メニューを表示部２の一部に表示する。次にステップｓ６３で、「〜を目的地に設定」ボタンをナビゲーション制御部４が表示部２に表示する。「〜」の部分には、名所Ａの名称などが記載される。次にステップｓ６４で、ユーザの望む目的地が「〜」の部分に表示できているか否かを判断する。たとえば、一定時間経過するまでに、「次候補を表示」メニューへの操作が行われなければ、利用者であるユーザの望む地図が表示できていると判断される。一定時間内に、「次候補を表示」メニューに対する操作が行われているときは、ステップｓ６５で、次候補の緯度・経度データの地点を「〜」の部分に記載して、「〜を目的地に設定」ボタンをナビゲーション側で表示し、ステップｓ６４に戻る。
【００４２】
ステップｓ６１で、算出した緯度・経度データが複数ではないときは、ステップｓ６６で、「目的地に設定」ボタンをナビゲーション側で表示する。ステップｓ６４でユーザの望む目的地が表示できていると判断するとき、またはステップｓ６６に続いて、ステップｓ６７では、「〜を目的地に設定」ボタンまたは「目的地に設定」ボタンへのタッチで目的地設定を行う。次に、ステップｓ６８では経路探索計算を行い、ステップｓ６９で経路案内を行う。
【００４３】
図１１は、図７のステップｓ８０に続く動作を示す。ステップｓ８１では、ＱＲコードはあるか否かを判断する。ＱＲコードがないと判断するときは、ステップｓ２０、ｓ４０またはｓ６０に移行する。ステップｓ８１でＱＲコードがあると判断するときは、ステップｓ８２に移行する。ステップｓ８２では、図２に示すようなホームページ画像２０の表示時に、ＱＲコード画像２３の表示部分に、図３に示すような「目的地に設定」ボタン２６を表示する。ステップｓ８３では、「目的地に設定」ボタン２６へのタッチで目的地設定を行う。次に、ステップｓ８４では経路探索計算を行い、ステップｓ８５で経路案内を行う。
【００４４】
以上で説明しているナビゲーション装置１は、車両などの移動体に設置して用いることができるのは当然であるけれども、たとえばパーソナルコンピュータにプログラムをインストールし、データベースを構築しておけば、同様に実現することができる。文字情報を抽出して位置情報を検索するのは、特許文献４と同様に、インターネット１０などを介して接続される検索サーバであっても、本発明を同様に実施することができる。
【図面の簡単な説明】
【００４５】
【図１】本発明の実施の一形態としてのナビゲーション装置１の概略的なシステム構成を示すブロック図である。
【図２】図１の表示部２で閲覧するホームページ画像２０の例を示す図である。
【図３】図２のＱＲコード画像２３を解析して対応する位置情報を得た場合に表示する画像２５の例を示す図である。
【図４】図２のホームページ画像２０のソースコードであるＨＴＭＬファイル３０の主要部分を概略的に示す図である。
【図５】図２のようなＱＲコード画像２３を含まないホームページ画像４０の例を示す図である。
【図６】図５のホームページ画像４０に対応して、地図画像をナビゲーションの画像に置き換えて得られる画像４５を示す図である。
【図７】図２や図５に示すホームページ画像２０，４０を閲覧中、「名所Ａ」を目的地に設定して経路案内する際に、図１のナビゲーション制御部４が行う制御手順を概略的に示すフローチャートである。
【図８】図７のステップｓ２０に続く動作を示すフローチャートである。
【図９】図７のステップｓ４０、または図８のステップｓ２１でホームページに地図画像がないと判断するときに続く動作を示すフローチャートである。
【図１０】図７のステップｓ６０、または図８のステップｓ２１でホームページに地図画像がないと判断するときに続く動作を示すフローチャートである。
【図１１】図７のステップｓ８０に続く動作を示すフローチャートである。
【符号の説明】
【００４６】
１ナビゲーション装置
２  表示部
３  地図蓄積部
４  ナビゲーション制御部
５  ブラウザ部
７  住所・電話番号・マップコード抽出部
８  ＱＲコード抽出部
９  位置情報抽出部
１０  インターネット網
２０，４０  ホームページ画像
２１  メイン画像
２３  ＱＲコード画像
２６  目的地に設定ボタン
３０  ＨＴＭＬファイル
４１  名所Ａ周辺地図
４２  住所文字列
４６  ナビゲーション用の道路地図
【図１】
2007139726.tif 000003
【図２】
2007139726.tif 000004
【図３】
2007139726.tif 000005
【図４】
2007139726.tif 000006
【図５】
2007139726.tif 000007
【図６】
2007139726.tif 000008
【図７】
2007139726.tif 000009
【図８】
2007139726.tif 000010
【図９】
2007139726.tif 000011
【図１０】
2007139726.tif 000012
【図１１】
2007139726.tif 000013